(57)【要約】【課題】  非使用時にシート下にアクセスすることを可能にするフットレストを有するリクライニングチェアを提供する。【解決手段】  チェアが、ベース構造物と、ベース構造物に移動可能に取り付けられたシートとを備える。このシートに、バックレストが、実質的に壁を避けるように揺動するように連結されている。フットレストが、非使用時の収容位置と、使用時の伸展位置との間を移動可能であり、フットレストは、シートの下に、シートに対して適切な平行関係にて、収容位置に配置されており、また、パッドが設けられたシート遠位面を有する。フットレストは、シートに、スイベル接続具により連結されており、スイベル接続具は、バックレストの移動がフットレストの移動を生じさせるように構成されている。【選択図】図１
2008018236.tif 000002
【特許請求の範囲】
【請求項１】
ベース構造物と、
前記ベース構造物に移動可能に取り付けられたシートと、
実質的に壁を避けるように揺動するよう前記シートに連結されたバックレストと、
非使用時の収容位置と使用時の伸展位置との間を移動可能なフットレストであり、前記シートの下に、前記シートとの適切な平行関係にて収容位置に配置され、且つ、パッドが設けられたシート遠位面を有する前記フットレストと、
前記フットレストを前記シートに連結するためのスイベル接続具であり、前記バックレストの移動が前記フットレストの移動を生じさせるように構成されている前記スイベル接続具と
を備えるチェア。
【請求項２】
前記フットレストを支持するための２つの揺動レバーをさらに含み、前記スイベル接続具が、互いにほぼ平行に延在する２つのカプラを含み、前記カプラの一方が前記揺動レバーの両方に枢動可能に取り付けられており、前記カプラの他方が前記揺動レバーの一方に枢動可能に取り付けられている、請求項１に記載のチェア。
【請求項３】
前記スイベル接続具と前記バックレストとの間の連結部を更に備えており、
前記連結部が、前記ベース構造物に固定されたカンチレバープレートを含み、
前記スイベル接続具が、前記シートに関節状に連結された１つの領域、及び、前記カンチレバープレートに関節状に連結された別の領域を有するガイドリンクを含む、請求項１に記載のチェア。
【請求項４】
前記連結部が、前記ベース構造物に取り付けられたブラケットと、前記ベース構造物に揺動可能に固定された１つの領域、及び、前記ブラケットに枢動可能に取り付けられた別の領域を有するガイドレバーと、前記ガイドレバーにより支持された、隣り合う端部を有する２つの制御レバーとを含む、請求項３に記載のチェア。
【請求項５】
前記制御レバーの一方が、前記バックレストに連結された別の端部を有する、請求項４に記載のチェア。
【請求項６】
前記制御レバーの他方が、前記スイベル接続具に枢動可能に連結された別の端部を有する、請求項５に記載のチェア。
【請求項７】
前記フットレストを支持するための２つの揺動レバーを更に備えており、
前記スイベル接続具が、互いにほぼ平行に延在する２つのカプラを含み、前記カプラの一方が前記揺動レバーの両方に枢動可能に取り付けられ、前記カプラの他方が前記揺動レバーの一方に枢動可能に取り付けられ、前記制御レバーの前記他方がカプラの前記他方に枢動可能に固定されている、請求項６に記載のチェア。
【請求項８】
前記シートが、前記バックレストに枢動可能に取り付けられた連結フレームを有する、請求項１に記載のチェア。
【請求項９】
前記シートの前部が、前記シートが傾斜位置に配置されるように上昇し、このとき、前記フットレストが収容位置から伸展位置に移動する、請求項１に記載のチェア。
【請求項１０】
前記シートが前方に移動され、このとき、前記フットレストが収容位置から伸展位置に移動する、請求項１に記載のチェア。
【発明の詳細な説明】
【関連出願の相互参照】
【０００１】
[0001]本出願は、２００６年６月２８日に出願されたドイツ国特許出願第２０ ２００６ ０１００７０．９号の優先権を、３５Ｕ．Ｓ．Ｃ．１１９（合衆国法典第３５巻１１９条）（ａ）〜（ｄ）に基づいて主張し、前記出願の内容の全てを完全に援用して本文の記載の一部とする。
【発明の背景】
【０００２】
[0002]本発明は、概して、チェアに関し、より詳細には、リクライニングチェアに関する。
【０００３】
[0003]以下に記載するいかなる技術状況も先行技術の自認と解釈されないものとする。
【０００４】
[0004]米国特許第４，７４０，０３１号は、リクライニングチェアを開示しており、このチェアが有するバックレストは、チェア付近の室内の壁に実質的に接して配置されることができ、チェアがリクライニング位置に配置されるときに何らの妨害をもたらさない。すなわち、バックレストは、チェアに座る人の重量により、ベース構造物に対して、シートと連動して移動されることができる。フットレストの連結部は、フットレストを、シートに対して、フットレストが引き込み位置と伸展位置（フットレストがシートから前方に突出した位置）との間で移動することを可能にするように取り付ける。これにより、フットレストは、引き込み位置と伸展位置との間を約９０度の角度範囲にて揺動できる。引き込み位置において、フットレストは直立状態に延在してチェアの目に見える前壁を形成する。フットレストのこのような端部位置は、多くの理由により望ましくない。理由の１つは、シートより下の領域にアクセスできなくなるため、フットレストが、制限のない快適な使用を妨げるからである。このようにアクセスできないことにより、クリーニングが困難になる（シートより下の領域に手を伸ばすことを可能にするためには、フットレストを伸展位置に移動することが必要であるから）だけでなく、設計コンセプトも制限される。
【０００５】
[0005]従って、先行技術の欠点を除去するための改良されたチェアを提供することが望ましく、且つ有利である。
【発明の概要】
【０００６】
[0006]本発明の一態様に従えば、チェアは、ベース構造物と、ベース構造物に移動可能に取り付けられたシートと、実質的に壁を避ける(wall avoiding)ように揺動するよう前記シートに連結されたバックレストと、非使用時の収容位置と使用時の伸展位置との間を移動可能なフットレストであって、前記シートの下に、前記シートに対する適切な平行関係にて収容位置に配置され、且つ、パッドが設けられたシート遠位面を有するフットレストと、前記フットレストを前記シートに連結するためのスイベル接続具であって、バックレストの移動がフットレストの移動を生じさせるように構成されているスイベル接続具とを備える。
【０００７】
[0007]本発明は、バックレストとシートとの間の角度が増大するようにバックレストがシートに対して移動し、その間にフットレストが収容位置から伸展位置に移動されることを可能にすることにより、先行技術の問題を解決する。その結果、フットレストの枢動角度が最大化される。基本的に、フットレストは、収容位置から伸展位置に約１８０度の角度範囲で移動されることができ、これにより、フットレストは、伸展位置に配置されるときに、最終的にシートの延長部を形成する。引き込まれた収容位置において、フットレストはシートの下に、フットレストのパッドがシートの遠位側に配置された状態で、シートに対して実質的に平行に配置される。その結果、フットレストが比較的薄いという事実により、シート下のレッグルーム（脚周り空間）が、例えば清掃作業を可能にするように空いた状態になり、また、フットレストが本質的に見えない状態にあるため、チェアの外観が魅力的になる。
【０００８】
[0008]本発明の別の特徴に従えば、フットレストを支持するために、２つの揺動レバーを設けることができ、スイベル接続具が、ほぼ平行な関係にある２つのカプラを含み得る。カプラの一方は揺動レバーの両方に枢動可能に取り付けられ、カプラの他方は、揺動レバーの一方に枢動可能に取り付けられる。
【０００９】
[0009]本発明の別の特徴に従えば、スイベル接続具とバックレストとの間に連結部が設けられ、この連結部は、ベース構造物に固定されたカンチレバープレートを含み、スイベル接続具は、シートに関節状に連結された１つの領域と、カンチレバープレートに関節状に連結された別の領域とを有するガイドリンクを含む。
【００１０】
[0010]本発明の別の特徴に従えば、連結部が、ベース構造物に取り付けられたブラケットと、ベース構造物に枢動可能に固定された１つの領域、及び、ブラケットに枢動可能に取り付けられた別の領域を有するガイドレバーと、ガイドレバーにより支持された隣接する端部を有する２つの制御レバーを含み得る。これにより、制御レバーの一方は、バックレストに連結され、制御レバーの他方はスイベル接続具に枢動可能に連結され得る。チェアに座っている人が体重移動をすることにより、又は、チェアに座っている人がモータ機構を用いることにより、バックレストが移動されるとき、このようにして、フットレストはシート下の収容位置から伸展位置に移動されることができる。
【００１１】
[0011]本発明に従うチェアに、フットレストのためのスイベル接続具が設けられ、このスイベル接続具は、構成が簡単で、動作が確実であり、フットレストのシートに対する移動が広範囲にわたることを可能にする。
【００１２】
[0012]本発明の他の特徴及び利点は、以下に記載する本発明の現在好ましい実施形態の説明を、添付図面を参照しつつ読むと、より明確になるであろう。
【好適な実施形態の詳細な説明】
【００１３】
[0016]全図を通して、同一又は対応の要素は、総じて同一の参照番号で示される。記載されたこれらの実施形態は、本発明の例示として理解されるべきであり、如何なる場合も、限定的なものとみなされるべきでない。また、図面が必ずしも一定の縮尺でなく、実施形態が、図形、点線、概略図及び部分図により示されている場合があることも理解されるべきである。幾つかの例において、本発明の理解に必要でない詳細部分、又は、他の詳細部分の認識を困難にする詳細部分は省略されていることがある。
【００１４】
[0017]ここで図面を参照すると、特に図１において、本発明に従うリクライニングチェアの概略側面図が示されており、このチェアは、２つのサイドパネルを含むベース構造物４と、ベース構造物４に移動可能に固定されたシート（座部）１と、バックレスト２（シート１に連結され、また、実質的に壁と接して配置されることができ、バックレスト２がリクライニング位置に移動されるときに壁に妨害されない）と、非使用時の引き込まれた収容位置（図１に示す）と使用時の完全に展開された位置（図３に示す）との間を移動可能であるフットレスト３とを有する。図２は、チェアの通常位置とリクライニング位置との間の中間位置を示す。
【００１５】
[0018]フットレスト３は、チェアに座っている人の脚を支持するための、パッド１８により覆われた前面、及び、２つの揺動レバー１２，１３の端部がフットレスト３を支持するために揺動可能に固定された後面を有する。
【００１６】
[0019]シート１は、バックレスト２に、連結フレーム６により連結されており、連結フレーム６は、バックレスト２が後方に移動されることによりチェアをリクライニング位置に揺動させるときの、シート１とバックレスト２とが成す角度の僅かな増大を可能にする。
【００１７】
[0020]ベース構造物４のサイドパネルの各側面上のスイベル接続具５が、フットレスト３をシート１に連結している。便宜上、及び、簡潔化のために、以下の説明は、チェアの側面の一方のみに関して行うが、実際は、チェアの２つの側面が、チェアの右側と左側とを２等分する仮想の鉛直方向中間面に対して互いに鏡像である。従って、スイベル接続具をチェアの片側のみに関して説明するが、スイベル接続具の同一部品がチェアの反対側に全く同様に存在することが理解されよう。
【００１８】
[0021]スイベル接続具５は、２つのカプラ１４，１５を含み、カプラ１４とカプラ１５とはほぼ平行な関係に配置され、且つ、シート１上に回転可能に支持されている。スイベル接続具５は、また、シート１に関節状に連結されたガイドリンク１６を含む。カプラ１５は、スイベル接続具５をシート１及びバックレスト２に連結するための連結部の一部を形成するカンチレバープレート７の近位位置に配置されている。カンチレバープレート７は、ガイドリンク１６を取り付けるために、ベース構造物４のサイドパネルに取り付けられている。カプラ１４は、カンチレバープレート７の遠位位置に配置されており、且つ、揺動レバー１２に、そしてまた、フットレスト３の揺動レバー１３にも、関節状に連結されている。一方、カプラ１５は、揺動レバー１３にのみ連結されている。
【００１９】
[0022]スイベル接続具５は、連結部を介してバックレスト２に連結されており、また、バックレスト２の移動がフットレスト３の移動を生じさせるように構成されている。従って、バックレスト２とフットレスト３とは互いに依存して移動する。移動の依存性を実現するためにガイドレバー９が設けられ、ガイドレバー９は、シート１に堅固に固定されたブラケット１７に、ガイドレバー９の中間部分にて回転可能に取り付けられている。ガイドレバー９は、ベース構造物４に堅固に連結された支持アーム８に揺動可能に固定された一端を有する。２つの制御レバー１０，１１がガイドレバー９の他端に回転可能に固定されており、制御レバー１０と制御レバー１１とは、それぞれの隣接する端部にて枢動可能に互いに連結されている。制御レバー１０の他端がバックレスト２に関節状に連結されており、制御レバー１１の他端がスイベル接続具５のカプラ１５に関節状に連結されている。
【００２０】
[0023]バックレスト２が、図１に示されている通常位置（この位置において、フットレスト３が引き込まれてシート１の下に収容されており、パッド１８が、フットレスト３の遠位側にて、シート１の座席領域に対して平行に延在する）から後方に移動されるとき、フットレスト３は、図２に示されているように中間位置に移動を開始し、シート１は、ガイドリンク１６及びガイドレバー９により、ベース構造物４に対して前方に移動される。バックレスト２の後方移動を継続すると、シート１は、図３に示されているように、フットレスト３が完全に伸展された位置に達するまで前方に移動し続ける。この位置において、パッド１８は頂部に配置される。
【００２１】
[0024]シート１の前部が上昇されるときに底部の空間がかなり大きくなるため、フットレスト３及びパッド１８は、最適なフットサポートをもたらすように十分に大きい寸法につくられることができ、尚且つ、フットレスト３がシート１の下に引き込まれることが可能である。
【００２２】
[0025]本発明を、詳細に示され記載される現在好ましい実施形態に関して例示し、記載してきたが、本発明の様々な修正及び構造的変更が、本発明の精神から全く逸脱せずに行われ得るため、本発明が、示された詳細に限定されることは意図されていない。本発明の実施形態は、本発明の原理及び実際の適用を最良の状態で説明し、それにより、当業者が本発明及び様々な実施形態を、意図される特定の用途に適するように様々に変更して最良に利用することを可能にするために選択され、記載された。
【００２３】
[0026]新規の、且つ、特許証により保護されることが要求される特許請求の範囲が、添付の特許請求項に記載されている。特許請求の範囲は、特許請求の範囲に記載された要素の均等物を含む。
【図面の簡単な説明】
【００２４】
【図１】本発明に従うリクライニングチェアの概略図であり、このチェアが、フットレストが引き込まれた収容位置に配置されている通常位置にある状態を示す。
【図２】リクライニングチェアが中間位置にある状態の概略図である。
【図３】フットレストが完全に伸展された位置に配置されている状態のリクライニングチェアの概略図である。
【図１】
2008018236.tif 000003
【図２】
2008018236.tif 000004
【図３】
2008018236.tif 000005
【外国語明細書】
2008018236000001.pdf